【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
プレチスモグラフ測定システムであって、以下：
プレチスモグラフ測定チャンバー；
該測定チャンバーに接続されるプレチスモグラフ測定構成要素；および
該測定チャンバーと該測定チャンバーの外部の環境との間に接続される空気循環システム、
を備え、
該空気循環システムが、プレチスモグラフ測定の間、該チャンバーの外部の環境からの空気を用いて、該測定チャンバー内の空気を更新する、プレチスモグラフ測定システム。
【請求項２】
前記測定構成要素が、前記測定チャンバーの内部に収容される、請求項１に記載のシステム。
【請求項３】
前記測定チャンバーに接続されるチャンバー扉をさらに備える、請求項１に記載のシステム。
【請求項４】
前記測定構成要素が、以下：
体積摂動エレメント、および
前記チャンバー内部の圧力を決定するための手段
を備える、請求項１に記載のシステム。
【請求項５】
前記圧力を決定するための手段が、１つ以上の圧力トランスデューサを備える、請求項４に記載のシステム。
【請求項６】
前記体積摂動エレメントが、振動ダイヤフラムである、請求項４に記載のシステム。
【請求項７】
前記体積摂動エレメントが、第１の周波数で、前記測定チャンバー内部に圧力振動を発生する、請求項４に記載のシステム。
【請求項８】
前記周波数が、３〜２０Ｈｚの間にある、請求項４に記載のシステム。
【請求項９】
前記空気循環システムが、以下：
ポンプアセンブリ；
前記測定チャンバーと該ポンプアセンブリとの間に接続される吸気管、および
該測定チャンバーと該ポンプアセンブリとの間に接続される排気管
を備える、請求項１に記載のシステム。
【請求項１０】
前記ポンプアセンブリが、吸気ポンプおよび排気ポンプを備える、請求項９に記載のシステム。
【請求項１１】
前記ポンプアセンブリが、１つ以上のロータリーポンプを備える、請求項９に記載のシステム。
【請求項１２】
前記ポンプアセンブリが、１つ以上のタービンポンプを備える、請求項９に記載のシステム。
【請求項１３】
前記ポンプアセンブリが、１つ以上の遠心ポンプを備える、請求項９に記載のシステム。
【請求項１４】
前記ポンプアセンブリが、１つ以上のファンポンプを備える、請求項９に記載のシステム。
【請求項１５】
前記ポンプアセンブリが、１つ以上のダイヤフラムポンプを備える、請求項９に記載のシステム。
【請求項１６】
前記ポンプアセンブリが、１つ以上のピストンポンプを備える、請求項９に記載のシステム。
【請求項１７】
前記ポンプアセンブリが、１つ以上のぜん動ンポンプを備える、請求項９に記載のシステム。
【請求項１８】
複数の平行な吸気管をさらに備える、請求項９に記載のシステム。
【請求項１９】
複数の平行な排気管をさらに備える、請求項９に記載のシステム。
【請求項２０】
前記吸気ポンプが、前記測定チャンバーから遠位方向にある吸気管の端部に設置される、請求項１０に記載のシステム。
【請求項２１】
前記排気ポンプが、前記測定チャンバーから遠位方向にある排気管の端部に設置される、請求項１０に記載のシステム。
【請求項２２】
前記空気循環システムが、以下：
ポンプアセンブリ；
該ポンプアセンブリと吸気マニホルドとの間に接続される、吸気マニホルド管、
該吸気マニホルドと前記測定チャンバーとの間に接続される、吸気チャンバー管、
該排気マニホルドと該測定チャンバーとの間に接続される、排気マニホルド管、および
該排気マニホルドと該ポンプアセンブリとの間に接続される、排気チャンバー管
を備える、請求項１に記載のシステム。
【請求項２３】
前記吸気マニホルドと前記測定チャンバーとの間に接続される、複数の平行な管をさらに備える、請求項２２に記載のシステム。
【請求項２４】
前記排気マニホルドと前記測定チャンバーとの間に接続される、複数の平行な管をさらに備える、請求項２２に記載のシステム。
【請求項２５】
前記測定構成要素が、以下：
体積摂動エレメント；および
圧力トランスデューサ
を備える、請求項２２に記載のシステム。
【請求項２６】
前記体積摂動エレメントが、第１の摂動周波数で体積摂動を発生する、請求項２５に記載のシステム。
【請求項２７】
前記吸気管および排気管が、前記摂動周波数における雑音を減衰させる、請求項２６に記載のシステム。
【請求項２８】
前記吸気管の長さが、前記摂動周波数に対応する波長の４分の１である、請求項２６に記載のシステム。
【請求項２９】
前記排気管の長さが、前記摂動周波数に対応する波長の４分の１である、請求項２６に記載のシステム。
【請求項３０】
圧力トランスデューサ；および
前記ポンプアセンブリと該圧力トランスデューサとの間に接続される、フィードバック回路をさらに備え、
該圧力トランスデューサが、前記空気循環システムの流量を測定し、そして該フィードバック回路が、該空気循環システムにおいて一定の流量を維持する、請求項９に記載のシステム。
【請求項３１】
前記圧力トランスデューサが、前記送込管に接続される、請求項２９に記載のシステム。
【請求項３２】
前記圧力トランスデューサが、前記排気管に接続される、請求項２９に記載のシステム。
【請求項３３】
前記フィードバック回路が、前記ポンプアセンブリの動作を変化させる、請求項２９に記載のシステム。
【請求項３４】
前記ポンプアセンブリが、１つ以上のロータリーポンプを備え、そして前記フィードバック回路が、該１つ以上のロータリーポンプの角速度を変化させる、請求項３３に記載のシステム。
【請求項３５】
制御された温度環境をさらに備え、前記空気循環システムが、該制御された温度環境から前記チャンバーの中へ空気をポンプ輸送する、請求項１に記載のシステム。
【請求項３６】
前記空気循環システムが、以下：
前記制御された温度環境に接続される、ポンプアセンブリ；
前記測定チャンバーと該ポンプアセンブリとの間に接続される吸気管、および
該測定チャンバーと該ポンプアセンブリとの間に接続される排気管
を備える、請求項３５に記載のシステム。
【請求項３７】
前記制御された温度環境が、
ヒーターエレメント；および
該ヒーターエレメントに接続される、温度モニタリング回路、
を備える、請求項３６に記載のシステム。
【請求項３８】
前記温度モニタリング回路が、前記制御された温度環境内で一定の温度を維持する、請求項３７に記載のシステム。
【請求項３９】
前記温度モニタリング回路が、前記ヒーターエレメントの動作を制御する、請求項３８に記載のシステム。
【請求項４０】
以下：
前記制御された温度環境に接続される、ポンプアセンブリ；
前記測定チャンバーと該ポンプアセンブリとの間に接続される吸気管、および
該測定チャンバーと該ポンプアセンブリとの間に接続される排気管；
ヒーターエレメント；ならびに
該ヒーターエレメントに接続される、温度モニタリング回路
を備える、請求項１に記載のシステム。
【請求項４１】
前記温度モニタリング回路が、前記吸気管の内部で一定の空気温度を維持する、請求項４０に記載のシステム。
【請求項４２】
前記温度モニタリング回路が、前記ヒーターエレメントの動作を制御する、請求項４１に記載のシステム。
【請求項４３】
試験被験体のプレチスモグラフ測定を実施する方法であって、以下：
測定される該被験体を、プレチスモグラフ測定チャンバーに配置する工程、
該チャンバーを密閉する工程；
該被験体のプレチスモグラフ測定を実施する工程、および
該チャンバーの外部の環境からの空気を用いて、該チャンバー内の空気を更新する工程を包含する、方法。
【請求項４４】
前記プレチスモグラフ測定を実施する工程が、以下：
前記チャンバーの内部に圧力振動子を発生する工程；
該圧力振動子の振幅を測定する工程；
測定される圧力振動に基づき、該チャンバー内の空気の体積を計算する工程；および
該チャンバー内の該計算された空気の体積に基づき、前記試験被験体の体組成を決定する工程、
を包含する、請求項４３に記載の方法。
【請求項４５】
前記圧力振動子を発生する工程が、固定周波数でダイヤフラムを振動させる工程、
を包含する、請求項４４に記載の方法。
【請求項４６】
前記チャンバーを通して空気を更新する工程が、以下：
吸気管を通して該チャンバーの中へ空気をポンプ輸送する工程；および
排気管を通して該測定チャンバーから空気をポンプ輸送する工程
を包含する、請求項４３に記載の方法。
【請求項４７】
前記吸気管を通して空気をポンプ輸送する工程が、以下：
制御された温度環境を確立する工程；および
該制御された温度環境から、該吸気管を通して空気をポンプ輸送する工程
を包含する、請求項４６に記載の方法。
【請求項４８】
前記制御された温度環境を確立する工程が、以下：
囲まれた環境の温度を測定する工程；
該測定される温度を所望のコントロール温度と比較する工程；
該測定される温度と該所望の温度との比較に応答して、ヒーターエレメントの動作を変化させる工程、
を包含する、請求項４７に記載の方法。
【請求項４９】
前記空気を、前記吸気管によって、制御される温度まで加熱する工程をさらに包含する、請求項４６に記載の方法。
【請求項５０】
前記空気を、前記吸気管によって、制御される温度まで加熱する工程が、以下：
該吸気管内の空気の温度を測定する工程；
該測定される温度を所望のコントロール温度と比較する工程；および
該測定される温度と該所望の温度との比較に応答して、ヒーターエレメントの動作を変化させる工程
を包含する、請求項４９に記載の方法。
【請求項５１】
前記チャンバーを通して循環される空気の一定の流量を維持する工程
をさらに包含する、請求項４３に記載の方法。
【請求項５２】
前記一定の流量を維持する工程が、以下：
流量を測定する工程；
該測定される流量を所望の流量と比較する工程、および
該測定される流量を該コントロール流量と比較する工程に応答して、空気ポンプの動作を変化させる工程
を包含する、請求項５１に記載の方法。